(57)【要約】【課題】ヒットしたボールの直進性が良好なパターヘッドを提供する。【解決手段】ヘッド本体２の前面（フェース面）に凹部２Ｈが設けられ、この凹部２Ｈ内にフェースインサート３が配置されている。このフェースインサート３は、後面側の高硬度部３ａと前面側の低硬度部３ｂとが交互に上下多段に積層されたものである。高硬度部３ａ及び低硬度部３ｂはいずれも前後方向の鉛直断面形状か略直角三角形状である。高硬度部３ａの前端はフェースインサート３の前面にまで達している。高硬度部３ａと低硬度部３ｂとの境界面は、後方ほど低位となる斜面となっている。フェースインサートに表面層３ｃや溝部３ｇが設けられてもよい。【選択図】図２
2012010767.tif 000002
【特許請求の範囲】
【請求項１】
ヘッド本体のフェース面にフェースインサートを装着したパターヘッドであって、
該フェースインサートは、低硬度部と高硬度部とを有しているパターヘッドにおいて、
該低硬度部と高硬度部との境界面が、パターヘッドの前後方向に傾斜した斜面となっていることを特徴とするパターヘッド。
【請求項２】
請求項１において、前記低硬度部と高硬度部とが上下方向に複数段に配置されていることを特徴とするパターヘッド。
【請求項３】
請求項２において、前記フェースインサートの前面に合成樹脂又は金属の表面層が設けられていることを特徴とするパターヘッド。
【請求項４】
請求項２において、前記高硬度部はフェースインサートの前面から離隔しており、高硬度部よりも上側の低硬度部と下側の低硬度部とが高硬度部の前側を通って一連一体に連なっていることを特徴とするパターヘッド。
【請求項５】
請求項２において、前記高硬度部の前縁部が低硬度部の前面よりも後退しており、
フェースインサートの前面には、該高硬度部の前縁部にまで達する溝部が形成されていることを特徴とするパターヘッド。
【請求項６】
請求項１ないし５のいずれか1項において、前記斜面は、後方ほど低位になる斜面であることを特徴とするパターヘッド。
【請求項７】
請求項１ないし５のいずれか1項において、前記斜面は、後方ほど高位になる斜面であることを特徴とするパターヘッド。
【請求項８】
請求項１ないし７のいずれか1項において、前記ヘッド本体のフェース面に凹部が設けられ、該凹部内に前記フェースインサートが配置されており、
該フェースインサートの側面と該凹部の側面とが離隔していることを特徴とするパターヘッド。
【請求項９】
請求項８において、該フェースインサートの側面と凹部の側面との間に粘弾性材が充填されていることを特徴とするパターヘッド。
【発明の詳細な説明】
【技術分野】
【０００１】
本発明は、ゴルフのパターのパターヘッドに関するものであり、特にヘッド本体のフェース面にフェースインサートを装着したパターヘッドに関するものである。
【背景技術】
【０００２】
ゴルフのパターは、主としてグリーン上においてボールをヒットしてボールをカップに向けて転がす用途に用いられるクラブである。このパターのヘッドとして、フェース面にフェースインサートを装着して打感を柔らかくすることがある。
【０００３】
特開２００７−１１７６３５には、このフェースインサートを高硬度部と低硬度部とで構成し、かつ、この高硬度部を中央部から周辺部に向かうに従い厚さが小さくなるものとすることが記載されている。このフェースインサートを用いたパターヘッドは、打感が柔らかいと共に、打音が高いという特性を有する。
【先行技術文献】
【特許文献】
【０００４】
【特許文献１】特開２００７−１１７６３５
【発明の開示】
【発明が解決しようとする課題】
【０００５】
本発明は、ヒットしたボールの直進性が良好なパターヘッドを提供することを目的とする。
【課題を解決するための手段】
【０００６】
請求項１のパターヘッドは、ヘッド本体のフェース面にフェースインサートを装着したパターヘッドであって、該フェースインサートは、低硬度部と高硬度部とを有しているパターヘッドにおいて、該低硬度部と高硬度部との境界面が、パターヘッドの前後方向に傾斜した斜面となっていることを特徴とするものである。
【０００７】
請求項２のパターヘッドは、請求項１において、前記低硬度部と高硬度部とが上下方向に複数段に配置されていることを特徴とするものである。
【０００８】
請求項３のパターヘッドは、請求項２において、前記フェースインサートの前面に合成樹脂又は金属の表面層が設けられていることを特徴とするものである。
【０００９】
請求項４のパターヘッドは、請求項２において、前記高硬度部はフェースインサートの前面から離隔しており、高硬度部よりも上側の低硬度部と下側の低硬度部とが高硬度部の前側を通って一連一体に連なっていることを特徴とするものである。
【００１０】
請求項５のパターヘッドは、請求項２において、前記高硬度部の前縁部が低硬度部の前面よりも後退しており、フェースインサートの前面には、該高硬度部の前縁部にまで達する溝部が形成されていることを特徴とするものである。
【００１１】
請求項６のパターヘッドは、請求項１ないし５のいずれか1項において、前記斜面は、後方ほど低位になる斜面であることを特徴とするものである。
【００１２】
請求項７のパターヘッドは、請求項１ないし５のいずれか1項において、前記斜面は、後方ほど高位になる斜面であることを特徴とするものである。
【００１３】
請求項８のパターヘッドは、請求項１ないし７のいずれか1項において、前記ヘッド本体のフェース面に凹部が設けられ、該凹部内に前記フェースインサートが配置されており、該フェースインサートの側面と該凹部の側面とが離隔していることを特徴とするものである。
【００１４】
請求項９のパターヘッドは、請求項８において、該フェースインサートの側面と凹部の側面との間に粘弾性材が充填されていることを特徴とするものである。
【発明の効果】
【００１５】
本発明のパターヘッドのフェースインサートでは、低硬度と高硬度部との境界面が前後方向に傾斜した斜面となっていることにより、ボールに順回転がかかり易いものとなり、ヒットされたボールの直進性が良好となる。
【００１６】
請求項２のように、低硬度部と高硬度部とを上下に複数段に配置した場合、上下の打点にバラツキがあっても、順回転の効果のバラツキが少なくなるという効果がある。
【００１７】
請求項３のように、フェースインサートの前面に合成樹脂又は金属の表面層を設けた場合、合成樹脂の材質を選択することにより、打感の調節を行うことができる。また、フェース面全体を均一外観とすることが容易である。
【００１８】
請求項４のように高硬度部よりも上側の低硬度部と下側の低硬度部とが高硬度部の前側を通って一連一体に連なっている構成とした場合も、同様の効果を得ることができる。
【００１９】
請求項５のようにフェースインサートの前面に溝部を形成することにより、ボールにスピンがかかり易くなる。
【００２０】
ヘッド本体のフェース面に凹部を設け、この凹部内にフェースインサートを配置した場合、フェースインサートの周囲に空隙を設けたり粘弾性材を配置することにより、高低の硬度差を設け、境界面を傾斜させたフェースインサートの変形を拘束しにくくするという効果が得られる。
【図面の簡単な説明】
【００２１】
【図１】（ａ）図は実施の形態に係るパターヘッドの分解斜視図、（ｂ）図はこのパターヘッドの正面図、（ｃ）図は（ｂ）図のＣ−Ｃ線断面図である。
【図２】図１（ａ）のII−II線断面図である。
【図３】別の実施の形態に係るパターヘッドのフェースインサートの断面図である。
【図４】別の実施の形態に係るパターヘッドのフェースインサートの断面図である。
【図５】（ａ）図は別の実施の形態に係るパターヘッドのフェースインサートの斜視図、（ｂ）図は（ａ）図のＢ−Ｂ線断面図である。
【図６】別の実施の形態に係るパターヘッドのフェースインサートの断面図である。
【図７】別の実施の形態に係るパターヘッドのフェースインサートの断面図である。
【図８】別の実施の形態に係るパターヘッドのフェースインサートの断面図である。
【図９】別の実施の形態に係るパターヘッドのフェースインサートの断面図である。
【図１０】別の実施の形態に係るパターヘッドのフェースインサートの断面図である。
【図１１】異なる実施の形態に係るパターヘッドの断面図である。
【図１２】（ａ）図は、さらに異なる実施の形態に係るパターヘッドの正面図、（ｂ）図は（ａ）図のＢ−Ｂ線断面図である。
【発明を実施するための最良の形態】
【００２２】
以下、図面を参照して実施の形態について説明する。
【００２３】
第１図〜第２図は第１の実施の形態に係るパターヘッド１を示すものである。このパターヘッド１では、ヘッド本体２の前面（フェース面）に凹部２Ｈが設けられ、この凹部２Ｈ内にフェースインサート３が配置されている。この実施の形態では、ヘッド本体２は金属製である。フェースインサート３の前面と、凹部２Ｈの周囲のヘッド本体２の前面とは面一である。
【００２４】
凹部２Ｈ及びフェースインサート３は、横長の略長方形状である。凹部２Ｈの深さは全体として均一であり、フェースインサート３の厚さも全体として均一である。ただし、部分的に深い箇所及び厚い部位を設けたり、逆に部分的に浅い箇所及び薄い部位を設けてもよい。
【００２５】
フェースインサート３の左右幅及び上下幅は凹部２Ｈよりも若干小さいものとなっており、フェースインサート３の上下左右の側面３Ｓと凹部２Ｈの周面２Ｓとの間には若干の空隙４があいている。この空隙４の幅は０．１〜１ｍｍ特に０．２〜０．８ｍｍ程度が好適である。フェースインサート３の大きさは上下幅が１６〜３０ｍｍ特に１８〜２５ｍｍ、左右幅が５０〜１５０ｍｍ特に７０〜１００ｍｍ、厚さが２〜１０ｍｍ特に３〜６ｍｍ程度が好ましいが、これに限定されない。
【００２６】
このフェースインサート３は、第２図の通り、後面側の高硬度部３ａと前面側の低硬度部３ｂとを交互に上下多段に積層したものである。この実施の形態では、高硬度部３ａ及び低硬度部３ｂがそれぞれ上下４段ずつ、合計で８段に設置されているが、この合計の段数は２０以下特に６〜１４程度が好適である。
【００２７】
この実施の形態では、高硬度部３ａ及び低硬度部３ｂはいずれも前後方向の鉛直断面形状が略直角三角形状である。高硬度部３ａの前端はフェースインサート３の前面にまで達している。高硬度部３ａと低硬度部３ｂとの境界面は、後方ほど低位となる斜面となっている。この斜面の下り勾配θは２０〜８６°特に３０〜８４°程度が好ましい。これにより、通常のパターに比べて、ボールを打ったときのバックスピン(逆回転)が減少し、直進性が良くなる。
【００２８】
高硬度部３ａの材料としては硬質プラスチック、例えばポリエステル、ナイロン、ウレタンなどの合成樹脂や、アルミニウム、チタニウム、銅およびその合金などの金属が好適である。低硬度部３ｂの材料としては熱可塑性エラストマーやゴム等弾性を有するものなどが好適である。フェースインサート３は、高硬度部３ａと低硬度部３ｂとを接着、溶着などにより付着させることにより製造することができるが、高硬度部３ａを金型内に配置しておき、低硬度部３ｂの材料を射出するインサート成形などによっても製造することができる。
【００２９】
フェースインサート３は、第２図の左側面がパターのフェース前面となるように凹部２Ｈ内に配置され、反対側が接着剤によって凹部２Ｈの奥壁面に接着される。接着剤としては、エポキシ系接着剤、ゴム系接着剤などが好適であるが、これに限定されない。両面テープなどを使用しても良い。
【００３０】
このように構成されたパターヘッド１のホゼル部１ｈにシャフトを連結することによりパターが構成される。このパターでパッティング（グリーン上のボールをフェース面で打つこと）すると、斜面を有することによりボールの上側をこするところから、順回転がかかり易くなり、ヒットされたボールの直進性が良好となる。
【００３１】
本発明では、第３図のフェースインサート３Ａのように、フェースインサートの前面の全面に薄い合成樹脂の表面層３ｃを接着、溶着などにより設けてもよい。この表面層３ｃの合成樹脂としては、エラストマーなどが好適である。合成樹脂の表面層３ｃの厚さは０．２〜１．０ｍｍ程度が好適である。第３図のその他の構成は第２図と同一であり、同一符号は同一部分を示している。この合成樹脂の表面層３ｃを設けることにより、フェースインサート３Ａの前面の全体が均一な外観になる。また、フェースインサートの表面の硬度を所望の硬度とすることができる。
【００３２】
本発明では、第４図のフェースインサート３Ｂのように、高硬度部３ｄの前端をフェースインサート３Ｂの前面から離隔させ、１つの高硬度部３ｄよりも上側の低硬度部３ｅとそれよりも下側の低硬度部３ｅとが高硬度部３ｄの前縁側を通って一連一体に連なっている構成としてもよい。このフェースインサート３Ｂにおいても、フェース面が低硬度部３ｅで均一に構成されており、外観が均一になる。なお、高硬度部３ｄは、高硬度部３ａの前端を欠いた台形断面形状となっている他は高硬度部３ａと同一の構成を有している。低硬度部３ｅは、上下に隣接するもの同士が連なっている他は低硬度部３ｂと同一の構成を有している。
【００３３】
本発明では、第５図のフェースインサート３Ｃのように、フェース面に横長の溝部３ｇを設けてもよい。この溝部３ｇは、フェースインサート３Ｃの左端付近及び右端付近を除いて設けられている。また、フェースインサート３Ａ，３Ｂ，３Ｄに溝部を設けても良い。このフェースインサート３Ｃは、第４図のフェースインサート３Ｂにおいて、溝部３ｇを、フェース面から高硬度部３ｄの前端に達するように設けたものである。溝部３ｇは、溝部の入口側の上下幅が大きく、溝部の最奥側（最深部）の上下幅が最も小さい台形断面形状である。この溝部３ｇを設けたことにより、ボールにスピンがかかり易くなる。フェースインサート３Ｃのその他の構成はフェースインサート３Ｂと同一であり、同一符号は同一部分を示している。
【００３４】
溝部３ｇの入口側の上下幅は、０．３〜１．６ｍｍ特に０．４〜０．８ｍｍ程度が好適であり、溝部の深さは０．０５〜１．１ｍｍ特に０．０７〜０．５ｍｍ程度が好適である。溝は同一の溝断面形状のもののみでも良いが、複数種類の溝断面形状のものを入れても良い。
【００３５】
上記実施の形態では、フェースインサートはいずれも高硬度部と低硬度部とが上下多段に設けられているが、第６図のフェースインサート３Ｄのように高硬度部３ｈと低硬度部３ｉとが１個ずつ設けられてもよい。高硬度部３ｈ及び低硬度部３ｉは、いずれも直角三角形状であり、各々の直角三角形の斜面に相当する面同士を重ね合わせて接着又は溶着することにより、直方体形状のフェースインサート３Ｄとされている。
【００３６】
このフェースインサート３Ｄを備えたパターでボールをヒットした場合、上側ほど低硬度部３ｉのヘッド前後方向厚さ（第６図における低硬度部３ｉの左右方向の幅）が小さく、上側ほどボールに強い反発力が与えられ、ボールに順回転がかかり易くなる。
【００３７】
上記実施の形態では、いずれも低硬度部と高硬度部との境界面はヘッド後方ほど下位となるように傾いているが、逆に、ヘッド後方ほど高位となるように傾いていてもよい。
【００３８】
第７図のフェースインサート３’は、前記第２図のフェースインサート３を上下反転させた構成のものであり、第８図のフェースインサート３Ｃ’は第５図のフェースインサート３Ｃを上下反転させた構成のものであり、いずれもそれ以外の構成は第２図、第５図と同一であり、同一符号は同一部分を示している。前記のその他のフェースインサート３Ａ，３Ｂ，３Ｄを上下反転させたフェースインサートであってもよい。
【００３９】
これらのフェースインサート３’，３Ｃ’を備えたパターでボールをヒットすると、傾斜面によりロフトが大きくなる効果により逆回転がかかり易くなり、ボールが転がりにくくなる。
【００４０】
第９図のフェースインサート３Ｅは、最も硬度の高い高硬度部５ａを最下部に配置し、その上側に順次に硬度が低くなるように、中高硬度部５ｂ、中低硬度部５ｃ、低硬度部５ｄを配置したものがある。高硬度部５ａ、中高硬度部５ｂ及び中低硬度部５ｃの上面は、上方かつ前方に向かって凸となる四分円弧状湾曲面であり、中高硬度部５ｂ、中低硬度部５ｃ及び低硬度部５ｄの下面は下方かつ後方に向かって凹となる四分円弧状湾曲面である。フェースインサート３Ｅは前記各フェースインサートと同様に直方体形状である。高硬度部５ａ〜低硬度部５ｄの境界面は、後方ほど高位となっている。
【００４１】
第１０図のフェースインサート３Ｆは、下側から上側に順次に硬度が低くなるように、高硬度部６ａ、中高硬度部６ｂ、中低硬度部６ｃ及び低硬度部６ｄを配置したものである。高硬度部６ａ及び低硬度部６ｄは台形断面形状であり、中高硬度部６ｂ及び中低硬度部６ｃは平行四辺形断面形状である。フェースインサート３Ｆは、前記各フェースインサートと同様に直方体形状である。高硬度部６ａ〜低硬度部６ｄの境界面は、後方ほど高位となっている。
【００４２】
この第９，１０図のフェースインサート３Ｅ，３Ｆを備えたパターでボールをヒットした場合、ロフト角が大きくなるため、逆回転がかかり易くなり、ボールの直進性が向上する。なお、第９，１０図では境界面を後方ほど高位としたが、逆に後方ほど低位としてもよい。
【００４３】
第１図では、フェースインサート３の周囲に空隙４を形成しているが、第１１図のようにこの空隙に、ゴム、エラストマー、合成樹脂などの粘弾性材８を配材してもよい。また、第１２図のパターヘッド１’のように、空隙４が生じないようにフェースインサート３を凹部２Ｈにぴったりと嵌まるように構成してもよい。
【００４４】
第１１，１２図のその他の構成は第１図と同様であり、同一符号は同一部分を示している。なお、空隙４や粘弾性材８を設けると、フェースインサートに残留応力が生じることがなく、フェースインサートの反発特性は設計通りになるという効果が得られる。
【符号の説明】
【００４５】
１，１’  パターヘッド
２  ヘッド本体
２Ｈ  凹部
３，３Ａ〜３Ｆ，３’，３Ｃ’  フェースインサート
３ａ，３ｄ，３ｈ  高硬度部
３ｂ，３ｅ，３ｉ  低硬度部
３ｃ  表面層
３ｇ  溝部
５ａ，６ａ  高硬度部
５ｂ，６ｂ  中高硬度部
５ｃ，６ｃ  中低硬度部
５ｄ，６ｄ  低硬度部
【図１】
2012010767.tif 000003
【図２】
2012010767.tif 000004
【図３】
2012010767.tif 000005
【図４】
2012010767.tif 000006
【図５】
2012010767.tif 000007
【図６】
2012010767.tif 000008
【図７】
2012010767.tif 000009
【図８】
2012010767.tif 000010
【図９】
2012010767.tif 000011
【図１０】
2012010767.tif 000012
【図１１】
2012010767.tif 000013
【図１２】
2012010767.tif 000014